(57)【特許請求の範囲】
【請求項１】
振ることにより生じる重量体の慣性力によりチャックを前進させて芯を繰り出す振出式シャープペンシルにおいて、細径の軸筒と、チャックの後部に連結されたコネクターと、コネクターに揺動可能に連結された芯タンクと、芯タンクの外側に摺動可能に被せられた重量体とからなり、重量体が芯タンクの外側と軸筒の内側の間を摺動する時に、コネクターに連結された芯タンクが揺動して、重量体が軸筒と芯タンクの間を抵抗なく摺動できるように構成したことを特徴とする振出式シャープペンシル。
【請求項２】
コネクターの内面に凹部を形成するとともに芯タンクの前部外面に凸部を形成し、凸部を凹部に嵌め込むことによりコネクターに対して芯タンクが揺動可能に連結されることを特徴とする請求項１に記載の振出式シャープペンシル。
【請求項３】
軸筒を金属パイプにより構成するとともに軸筒の前部外径を６ｍｍ以下の細径に構成したことを特徴とする請求項１又は２に記載の振出式シャープペンシル。
【請求項４】
芯タンクを金属パイプにより構成したことを特徴とする請求項１乃至３のいずれかに記載の振出式シャープペンシル。
【発明の詳細な説明】
【技術分野】
【０００１】
本発明は、手帳用のシャープペンシルや複合筆記具用のシャープペンシル体といった細径の軸筒を用いる振出式シャープペンシルに関するものである。
【背景技術】
【０００２】
手帳用のシャープペンシルや複数本の筆記体が組み合わされた複合筆記具用のシャープペンシル体は、軸筒を細径に構成しなければならないとともに、全長も長く構成できないといった制約があった。しかし、従来の振出式シャープペンシルは、重量体が芯タンクの外側を摺動するために軸筒が細くならず、軸筒の外径が６ｍｍ以下のシャープペンシルにおいては実用化できなかった。
尚、チャックと芯タンクを分離し、チャック軸部に打下げハンマー（重量体に相当）を設けた振出式シャープペンシルは知られている。（特許文献１参照）
【特許文献１】特開昭６３−４９９５号公報
【発明の開示】
【発明が解決しようとする課題】
【０００３】
しかし、上記したチャックと芯タンクを分離した振出式シャープペンシルは、チャック軸部の外側に打下げハンマーを設け、打下げハンマーの後方に芯タンクを配置して構成されているために、全長が長くなってしまい、手帳用のシャープペンシルや複合筆記具用のシャープペンシル体としては実用不可能であった。
本発明は、上記課題を解消する振出式シャープペンシルを提供することを目的とするものである。
【課題を解決するための手段】
【０００４】
本発明は、振ることにより生じる重量体の慣性力によりチャックを前進させて芯を繰り出す振出式シャープペンシルにおいて、細径の軸筒と、チャックの後部に連結されたコネクターと、コネクターに揺動可能に連結された芯タンクと、芯タンクの外側に摺動可能に被せられた重量体とからなり、重量体が芯タンクの外側と軸筒の内側の間を摺動する時に、コネクターに連結された芯タンクが揺動して、重量体が軸筒と芯タンクの間を抵抗なく摺動できることを第１の要旨とする。
【０００５】
また、コネクターの内面に凹部を形成するとともに芯タンクの前部外面に凸部を形成し、凸部を凹部に嵌め込むことによりコネクターに対して芯タンクが揺動可能に連結されることを第２の要旨とする。
【０００６】
更に、軸筒を金属パイプにより構成するとともに軸筒の前部外径を６ｍｍ以下の細径に構成したことを第３の要旨とする。
【０００７】
更にまた、芯タンクを金属パイプにより構成したことを第４の要旨とする。
【発明の効果】
【０００８】
本発明の振出式シャープペンシルは、チャックに連結されたコネクターに芯タンクが揺動可能に連結されているために、細径の軸筒と芯タンクの間を重量体が抵抗なく移動できる。したがって、手帳用のシャープペンシルや複合筆記具用のシャープペンシル体といった軸筒が細径になってしまうシャープペンシルにおいても振出式シャープペンシルを提供することができる。
【発明を実施するための最良の形態】
【０００９】
手帳用のシャープペンシルや複合筆記具用のシャープペンシル体といった軸筒が細径となってしまう場合においても、軸筒と芯タンクの間を重量体が抵抗なく移動できる振出式シャープペンシルを実現した。
【実施例１】
【００１０】
以下、図１及び図２に基づいて本発明における実施例１の手帳用振出式シャープペンシルを説明する。また、図１の左側を前方とし、右側を後方とする。先ず、黄銅等からなる金属製のチャック１の後部に合成樹脂製のコネクター２を圧入固着する。このコネクター２の後部に太径部２Ａを形成し、この太径部２Ａ内面に凹溝２Ｂを形成する。また、チャック１の頭部１Ａには締リング３が外嵌され、締リング３を受け止める内軸４の内段４Ａとコネクター２の間に比較的弱い力のスプリング５が張架される。したがって、通常スプリング５により後方に付勢されるチャック１の頭部１Ａは、締リング３に押圧され閉じられることによって芯６を保持する。更に、図２に示したように、金属製のパイプで構成された芯タンク７の前部には円周方向外側に突出した突条７Ａが形成され、この突条７Ａが前記コネクター２の凹溝２Ｂに嵌め込まれ、コネクター２に対して芯タンク７が揺動可能に連結される。更に、芯タンク７の外側には長手方向に摺動可能に重量体８が外嵌される。この重量体８は黄銅等の金属により構成される。
【００１１】
後部９Ａが太径に構成された頭冠９の前部に中子１０が配置され、中子１０の後部に押圧部材１１が圧入固着される。また、頭冠９の内段９Ｂと押圧部材１１の外段１１Ａとの間にノックスプリング１２が張架され、中子１０の後端が頭冠９の前端に当接される。更に、押圧部材１１の後部には蓋体１３が着脱可能に嵌め込まれる。尚、図示していないが蓋体は消しゴムで構成しても良い。
【００１２】
この頭冠９は、外径が４ｍｍのステンレスパイプで構成された軸筒１４の後部に圧入固着される。
【００１３】
また、前記内軸４は軸筒１４の前部より挿入されて圧入固着され、芯タンク７の後部は前記中子１０の前部孔１０Ａに適宜揺動可能に挿入される。
【００１４】
芯タンク７の外側に外嵌された重量体８はコネクター２の後端と中子１０の前端との間に長手方向に摺動可能に配置されるが、芯タンク７がコネクター２に対して揺動可能に連結されているので、芯タンク７と軸筒１４の間を摺動する重量体８は抵抗なく移動することができる。
【００１５】
更に、内軸４の前部凹溝４ＢにはＯリング１５が設けられ、この内軸４に芯ホルダー１６を内蔵した口金１７が着脱可能に螺合されるが、この時内軸４に設けられたＯリング１５が口金１７に圧接されて口金１７のゆるみが防止され手帳用振出式シャープペンシルが構成される。
【００１６】
上記手帳用振出式シャープペンシルにおいて芯６を繰り出す場合には、振ることにより生じる重量体８の慣性力により重量体８が長手方向前方に移動し、重量体８がコネクター２の後端に当接される。すると、コネクター２が前進してチャック１を前方に移動させ芯６を繰り出す。
【００１７】
そして、芯タンク７に芯６を補充する場合には、押圧部材１１から蓋体１３を外し芯６を補充する。
【００１８】
尚、本発明の振出式シャープペンシルは上記実施例に限定されるものではなく、ボールペンやシャープペンシルといった複数本の筆記体を収納し選択して使用する複合筆記具に用いられる振出式シャープペンシル体としても使用可能である。
【００１９】
また、上記実施例においては、外径が４ｍｍの金属パイプで構成した軸筒を使用したが、特に重量体が摺動する前部外径が６ｍｍの金属パイプで構成した軸筒と、金属パイプで構成した芯タンクにおいて試験した結果、コネクターと芯タンクが揺動しない構成においては重量体が摺動しにくくなり、軸筒を振っても芯が繰り出されない場合があった。しかし、コネクターと芯タンクを揺動可能に構成した場合には重量体が抵抗なく摺動し、軸筒を振れば確実に芯を繰り出すことができた。しかも、軸筒と芯タンクを金属パイプにより構成することにより、曲がりが少なく肉厚も薄く構成できるとともに軸筒及び芯タンクの強度も向上するので、軸筒を細径に構成する場合には好適である。
【産業上の利用可能性】
【００２０】
コネクターに芯タンクを揺動可能に連結することにより、手帳用シャープペンシルや複合筆記具に用いるシャープペンシル体等の軸筒が細径となってしまう振出式シャープペンシルに適用できる。
【図面の簡単な説明】
【００２１】
【図１】本発明の実施例１の振出式シャープペンシルを示す断面図である。（実施例１）
【図２】本発明の実施例１の振出式シャープペンシルにおけるコネクターと芯タンクの連結状態を示す拡大断面図である。（実施例１）
【符号の説明】
【００２２】
１  チャック
２  コネクター
６  芯
７  芯タンク
８  重量体
１４  軸筒
【図１】
0004562187.tif 000002
【図２】
0004562187.tif 000003